(57)【特許請求の範囲】
【請求項１】
剃毛システム（１０）において、
ハンドル（１４）に取り付けられたカートリッジ（１６）を有する剃毛かみそり（１２）であって、少なくとも１つの刃（４２）を有する剃毛かみそり（１２）と、
受け皿（２８）を画定する剃毛トレイ（２０）であって、前記剃毛かみそり（１２）の前記ハンドル（１４）を前記剃毛トレイ（２０）に固定させる保持部材（３４）を有する剃毛トレイ（２０）と、
前記受け皿（２８）内に配置される剃毛剤の容器（２２）と、
を備え、
前記カートリッジは、前記刃（４２）の前部に剃毛剤保持ガード（１８）を有しており、
前記剃毛剤保持ガードは、幅よりも長さの方が大きい細長い凹部（８４）を有している、剃毛システム。
【請求項２】
前記細長い凹部（８４）は、１：５乃至１：２５の幅対長さの比を有する、請求項１に記載の剃毛システム（１０）。
【請求項３】
前記カートリッジ（１６）は、前記剃毛剤保持ガード（１８）の横方向に配置される１対の主ガード（１１２、１１４）を有する、請求項１又は２に記載の剃毛システム（１０）。
【請求項４】
前記剃毛剤の容器（２２）は、前記カートリッジ（１６）を受容するように寸法付けられている、請求項１乃至３のいずれか一項に記載の剃毛システム（１０）。
【請求項５】
前記剃毛トレイ（２０）は、前記剃毛トレイ（２０）を貫通して延在し、且つ、前記カートリッジ（１６）の下方に位置決めされた、排水開口（３８）を画定する、請求項１乃至４のいずれか一項に記載の剃毛システム（１０）。
【請求項６】
前記剃毛トレイ（２０）は、第２の受け皿（５８）を画定する、請求項１乃至５のいずれか一項に記載の剃毛システム（１０）。
【請求項７】
前記第２の受け皿（５８）は、前記受け皿（２８）より大きい、請求項６に記載の剃毛システム（１０）。
【請求項８】
前記剃毛剤の容器（２２）は、可剥性の蓋（４０）を有する、請求項１乃至７のいずれか一項に記載の剃毛システム（１０）。
【請求項９】
前記蓋（４０）は、前記剃毛剤の容器（２２）に再密閉可能である、請求項８に記載の剃毛システム（１０）。
【請求項１０】
前記受け皿（２８）は、裏面（２５２）に位置する、請求項１乃至９のいずれかに記載の剃毛システム（１０）。
【請求項１１】
前記剃毛剤の容器（２２）は、１つ以上の小袋（７１）である、請求項１０の剃毛システム（１０）。
【請求項１２】
前記剃毛剤の容器（２２）は、複数の相互に連結された小袋（７１）である、請求項１０に記載の剃毛システム。
【請求項１３】
前記小袋（７１）は、取り外し可能なカートリッジ（７７）に取り付けられる、請求項１２に記載の剃毛システム。
【請求項１４】
前記剃毛剤の容器（２２）は、２，０００センチポアズ乃至２５０，０００センチポアズの粘度を有する剃毛剤（７４）を有する、請求項１乃至１３のいずれか一項に記載の剃毛システム（１０）。
【発明の詳細な説明】
【技術分野】
【０００１】
本発明は、剃毛の方法及びシステムに関する。より詳細には、本発明は、剃毛かみそりを収納し剃毛剤を保持するための剃毛トレイを有する剃毛システム、剃毛剤を保持し皮膚に剃毛剤を塗布するためのガード部材を有する剃毛かみそり、並びにそのような剃毛かみそり及びシステムを使用する方法に関する。
【背景技術】
【０００２】
典型的には、男女は、ゲル、クリーム、石鹸、又はローション等の剃毛剤の層を、剃る領域の皮膚に手で塗布することにより身体を剃る。ユーザーは次いで、湿式剃毛かみそりで皮膚を剃る。湿式剃毛かみそりは、湿式剃毛かみそりに閉じ込められた切り取った毛が除去されるように、定期的に水中ですすがれる。この剃毛方法では、ユーザーは、一缶又は１本のチューブの剃毛剤と、使い捨て剃毛かみそり、又は使い捨てカートリッジを有する剃毛かみそりシステムであってよい湿式剃毛かみそりと、を購入する必要がある。１本のチューブ又は一缶の剃毛は、多回数の剃毛に十分な剃毛剤を提供し、数個の使い捨て剃毛かみそり及び／又は使い捨てカートリッジの寿命より長持ちする。
【０００３】
上述の剃毛方法にはいくつかの欠点がある。まず、この剃毛方法では、消費者は、必要以上の剃毛剤を購入し塗布することを強いられる。例えば、商用又は休暇で旅行しているとき、剃毛する必要がある消費者もいる。現在、刃等の鋭利な物品を対象とする機内持ち込み物品、及び機内に持ち込める液体洗面用品の量の制限に関する厳重な空港政策によって、頻繁に旅行をする人にも、たまに旅行する人にも深刻な不便をきたしている。そのような物品を飛行機に持ち込む煩わしさに対処するよりも、むしろ目的地に着いた際に新しい剃毛剤と剃毛かみそりとを購入する方を好む旅行者もいる。比較的安価な使い捨てかみそりは入手可能であるが、消費者は一缶又は１本のチューブの剃毛剤も購入しなければならず、特に剃毛剤が２、３回の剃毛にのみ必要な場合は、高価になり得る。一缶又は１本のチューブの剃毛剤には剃毛剤が過剰に収容されており、旅行者が家に戻る前に、使い捨てかみそりと共に通常捨てられてしまう。消費者が自分の剃毛用品を持ち込む方を好む場合は、他の洗面用品に利用できる重さ及びかさを、剃毛剤容器（単数又は複数）が余分に取ってしまう。典型的な旅行者は、家から離れて長期滞在しているのでなければ、ローションを一瓶全部必要としない。
【発明の概要】
【発明が解決しようとする課題】
【０００４】
消費者が剃毛するとき、過剰の剃毛剤が手に通常塗布され、皮膚にマッサージされる。このプロセスは汚れ、多大な量の剃毛剤を無駄にすることになり、消費者はかみそりをつかむ前に手から洗い落とさなければならない。このように剃毛剤が剃毛ごとに浪費され、あまり経済的でない。流水がすぐに利用できない場合、又は節水している場合、すすぎのプロセスは更に問題を生じさせる。例えば、流水が利用可能性は、現代の利器から遠ざかって荒野をハイキング又はキャンプする消費者にとっては、欠乏していることがあり得る。新興市場等の地球のある地域の消費者にとって、いかなる水のアクセスも限られている可能性が更にある。場合によっては、水がすぐに利用できない。例えば、いつも急いでいる消費者は、車中又は公共交通機関等の非典型的な場所で、剃毛する必要性があることに気づくことがよくある。剃毛剤を塗布するプロセスもまた汚れるので、急いでおり移動中に剃毛する消費者にとって適していない。これらの理由から、たとえ湿式かみそりからの根元に近く滑らかな剃毛の見た目及び感触が理想的には好まれても、消費者の中には、電気かみそりを使用しがちである、又は剃毛すること自体を後回しにする人もいる。
【課題を解決するための手段】
【０００５】
１つの態様では、本発明は概して、ハンドルと、ハンドルに取り付けられたカートリッジと、カートリッジに接合された１対の主ガードであって、それぞれが複数のフィンスロットを画定する複数のフィンを有する主ガードと、を有する安全かみそりを特徴とする。安全かみそりは、カートリッジに取り付けられ、１対の主ガードに隣接して配置される１つ以上の主剃毛刃を更に含む。剃毛剤保持ガードは１対の主ガードの間に配置される。剃毛剤保持ガードは、複数のガードスロットを画定する複数の壁を有し、ガードスロットの幅は、フィンスロットの幅より大きい。
【０００６】
別の態様において、本発明は、概して、ハンドルと、ハンドルに取り付けられた近位端部分及び遠位端部分を備えるカートリッジと、を有する安全かみそりを特徴とする。１つ以上の剃毛刃はカートリッジに取り付けられ、ガードはカートリッジの遠位端部分に接合される。ガードは、近位壁、遠位壁（distal all）、及び１対の側壁によって画定される細長いスロットを有し、細長いスロットは、１：１０乃至１：２５の幅対長さの比を有する。
【０００７】
更に別の態様において、本発明は、概して、安全剃毛かみそりと、剃毛トレイと、剃毛剤の容器と、を有する剃毛システムを特徴とする。安全剃毛かみそりは、細長いハンドルと、細長いハンドルに取り付けられたカートリッジと、カートリッジに接合された剃毛剤保持ガードと、を有する。剃毛トレイは、収納中に安全剃毛かみそりを受容するように寸法付けられている第１の部分と、受け皿を画定する第２の部分と、を有する。剃毛剤の容器は受け皿内に配置される。
【０００８】
更に別の態様において、本発明は、概して、ガードを有する剃毛かみそりカートリッジを剃毛剤の容器中に入れる工程、剃毛剤をガードで保持する工程、剃毛かみそりカートリッジを剃る領域の皮膚に当てる工程、ガードを圧縮させることによって、その皮膚部分に剃毛剤を剃毛かみそりカートリッジで塗布する工程、及び剃毛かみそりカートリッジをその部分の皮膚全体に移動させることでその領域の皮膚を剃毛する工程を含む剃毛の方法を特徴とする。
【図面の簡単な説明】
【０００９】
【図１】湿式剃毛システムの１つの可能な実施形態の平面図。
【図２】図１の剃毛システムに組み込まれてもよい、湿式剃毛かみそり及び剃毛剤の容器の１つの可能な実施形態の正面図。
【図３Ａ】剃毛トレイの１つの可能な実施形態の平面図。
【図３Ｂ】剃毛トレイの別の可能な実施形態の平面図。
【図３Ｃ】剃毛トレイの別の可能な実施形態の平面図。
【図３Ｄ】剃毛トレイの更に別の可能な実施形態の裏面図。
【図３Ｅ】剃毛トレイの更に別の可能な実施形態の裏面図。
【図４Ａ】湿式剃毛かみそりシステムの別の可能な実施形態の斜視図。
【図４Ｂ】剃毛トレイ及び剃毛剤の容器の別の可能な実施形態の斜視図。
【図４Ｃ】剃毛剤の容器の斜視図。
【図５】図２の剃毛かみそりに組み込まれてもよい、ガードの１つの可能な実施形態の斜視図。
【図６】剃毛かみそりカートリッジの１つの可能な実施形態の斜視図。
【図７】図６のカートリッジに組み込まれてもよい、ガードの１つの可能な実施形態の斜視図。
【図８Ａ】概して線８−８に沿って得られる、第１の、即ち中立の位置にある図７のガードの横断面図。
【図８Ｂ】概して線８−８に沿って得られる、第２の、即ち圧縮された位置にある図７のガードの横断面図。
【発明を実施するための形態】
【００１０】
図１を参照すると、本開示は、概して、ハンドル１４と、ハンドルに取り付けられたカートリッジ１６と、を有する湿式剃毛かみそり１２を含む剃毛システム１０を提供することに関する。特定の実施形態では、カートリッジ１６は、ハンドル１４に、取り外し可能に、及び／又は回動自在に取り付けられてもよい。カートリッジ１６は、必要に応じてユーザーによってハンドル１４から取り外され新しいカートリッジ１６と取り替えられることができ、したがって、ハンドル１４は再使用される。他の実施形態では、カートリッジ１６は、ハンドル１４に固定して取り付けられてもよく、消費者は、所望に応じて、湿式剃毛かみそり１２を処分し、新しい湿式剃毛かみそり１２と取り替えてもよい。以下に更に詳細に説明するように、カートリッジ１６は、剃毛中に皮膚の表面に剃毛剤を塗布するために、剃毛剤保持ガード１８を含んでもよい。剃毛システム１０は、湿式剃毛かみそり１２と、剃毛剤の使い捨て容器２２と、を収納する剃毛トレイ２０を含んでもよい。
【００１１】
剃毛トレイ２０は、近位端部分２４と、遠位端部分２６と、を有し得る。遠位端部分２４は、剃毛剤の使い捨て容器２２を受容するように寸法付けられている受け皿２８を画定してもよい。あるいは、受け皿２８は剃毛剤で充填されてもよい。湿式剃毛かみそり収納部分３０は、近位端部分２４と遠位端部分２６との間に配置されてもよい。湿式剃毛かみそり収納部分３０は、凹設領域３２と、ハンドル保持部材３４と、概して開放された領域３６と、を有し得る。凹設領域３２は、カートリッジ１６を受容するように寸法付けられてもよく、概して開放された領域３６は、湿式剃毛かみそり１２のハンドル１４を受容するように寸法付けられてもよい。凹設領域３２は、剃毛後にカートリッジ１６を乾かすのを補助することができる、剃毛トレイ２０を貫通して延在する排水開口３８を画定してもよい。ハンドル保持部材３４は、ハンドル１４を剃毛トレイ２０に固定させてもよく、凹設領域３２と概して開放された領域３６との間に配置されてもよい。剃毛トレイ２０、剃毛かみそり１２、及び剃毛剤の容器２２は、キットとして共にパッケージ化されてもよい。剃毛剤の容器２２は、必要に応じて別個に購入され取り替えられてもよい。剃毛かみそり１２は使い捨てであってもよく、特定の回数の剃毛後にトレイ２０及び剃毛剤２２の容器と共に捨てられてもよい。特定の実施形態では、剃毛かみそり１２及び剃毛剤の容器２２は、剃毛トレイ２０なしで、キットとしてパッケージ化されてもよい。
【００１２】
図２を参照すると、剃毛トレイ２０（図示せず）の受け皿２８内に配置されてもよい、剃毛剤の容器２２に挿入されている湿式剃毛かみそり１２が示される。湿式剃毛かみそり１２は、カートリッジ１６の後部のキャップ４４とカートリッジ１６の前方部分の剃毛剤保持ガード１８との間に配置される１つ以上の刃４２を有してもよい。特定の実施形態では、剃毛剤保持ガード１８が、キャップ４４の代わりに使用されてもよく、したがって、カートリッジ１６は、複数の剃毛剤保持ガード１８を更に含んでもよく、又はキャップ４４の位置に剃毛剤保持ガード１８を有してもよい。剃毛剤の容器２２は、蓋４０を有してもよい。蓋４０は、剃毛剤の容器２２から取り外される可剥性の蓋であってもよく、又は、蓋４０は、スナップ嵌め設計を利用して剃毛剤の容器２２上に再密閉可能であってもよい。剃毛剤の容器２２は、湿式剃毛かみそり１２のカートリッジ１６を受容するように寸法付けられていてもよい。剃毛剤の容器２２は、カートリッジ１６の寸法よりわずかに大きくてもよく、約１、又は２回乃至約４、又は５回の剃毛に十分な剃毛剤を収容し得る。剃毛剤の容器２２は、カートリッジ１６の長さにほぼ相当する長さを備える、概して方形の形状を有してもよい。特定の実施形態では、剃毛剤の容器の長さは、約２５ｍｍ、３５ｍｍ、又は４５ｍｍ乃至約５５ｍｍ、６５ｍｍ、又は７５ｍｍであってよい。剃毛剤の容器２２は、余分な剃毛剤がハンドル１４に付くのを防ぐことができるカートリッジ１６の幅に相当する高さを有してもよい。特定の実施形態では、剃毛剤の容器の高さは、約１０ｍｍ、１２ｍｍ、又は１４ｍｍ乃至約２０ｍｍ、３０ｍｍ、又は４０ｍｍであってよい。前述したように、剃毛剤の容器２２は、カートリッジ１６の幅にほぼ相当する幅を更に有してもよい。
【００１３】
剃毛剤保持ガード１８が一定量の剃毛剤に接触し、一定量の剃毛剤が保持されるように、ユーザーはカートリッジ１６を剃毛剤の容器２２に挿入してもよい。次に、カートリッジ１６は、剃る領域の皮膚に当ててもよい。カートリッジ１６が皮膚の表面に沿って通過する際、１つ以上の刃４２がその領域を剃毛する直前に、剃毛剤保持ガード１８が剃毛剤を塗布してもよい。１つ以上の刃４２が皮膚を剃毛すると同時に、剃毛剤が皮膚に塗布されてもよい。あるいは、ユーザーは、剃毛剤保持ガード１８のみを剃る領域の皮膚に当ててもよい。刃４２が皮膚に接触する前に、剃毛剤保持ガード１８は、剃毛剤を剃る領域全体に塗布してもよい。次に、ユーザーは、カートリッジ１６及び１つ以上の刃（one or blades）４２を皮膚の表面に当てて接触させ、その領域を剃毛し始めてもよい。ユーザーは、必要に応じて、カートリッジ１６を定期的にすすいでもよい。カートリッジ１６内に閉じ込められた毛は、カートリッジ１６を剃毛剤の容器に戻すことによりすすがれてもよい。剃毛剤は、１つ以上の刃４２のすすぎ及び洗浄を補助することができる、典型的なシェービングローション及びゲル剤より低い粘度を有してもよい。特定の実施形態では、Ｋｏｎｉｎｋｌｉｊｋｅ  Ｐｈｉｌｉｐｓ  Ｅｌｅｃｔｒｏｎｉｃｓ  Ｎ．Ｖ製のＮｉｖｅａ  Ｃｏｏｌ  Ｇｅｌ  Ｓｈａｖｉｎｇ  Ｂａｌｍ（Ｐｈｉｌｉｐｓ  Ｐｈｉｌｉｓｈａｖｅ  ＨＱ１７０又はＨＱ１７１）を剃毛剤の容器２２に入れて、（又は以下に更に詳細に説明するように、チューブ又は小袋に入れて）使用してもよい。
【００１４】
図３Ａを参照すると、剃毛トレイ５０の別の実施形態が示される。剃毛トレイ５０は、前述され図１に示される剃毛トレイ２０に類似していてもよい。剃毛トレイ５０は、近位端部分５２と、遠位端部分５４と、を有し得る。遠位端部分５４は、剃毛剤の使い捨て容器２２（図示せず）を受容するように寸法付けられた第１の受け皿５６を画定してもよい。遠位端部分５４は、すすぎ用ボウルであり得る第２の受け皿５８を更に画定してもよい。第２の受け皿５８は、水又は他のすすぎ溶液で充填されてもよい。湿式剃毛かみそり１２（図示せず）は、第２の受け皿５８内でカートリッジ１６（図示せず）をすすぐのを補助することができる振動するかみそりであってもよい。湿式剃毛かみそり収納部分６０は、近位端部分５２と遠位端部分５４との間に配置されてもよい。湿式剃毛かみそり収納部分６０は、凹設領域６２と、ハンドル保持部材６４と、概して開放された領域６６と、を有してもよい。凹設領域６２は、カートリッジ１６（図示せず）を受容するように寸法付けられてもよく、概して開放された領域６６は、湿式剃毛かみそり１２（図示せず）のハンドル１４を受容するように寸法付けられてもよい。凹設領域６２は、剃毛後にカートリッジ１６（図示せず）を乾かすのを補助することができる、剃毛トレイ５０を貫通して延在する排水開口６８を画定してもよい。ハンドル保持部材６４は、ハンドル１４（図示せず）を剃毛トレイ５０に固定させてもよく、凹設領域６２と概して開放された領域６６との間に配置されてもよい。
【００１５】
第２の受け皿５８は、カートリッジ１６（図示せず）の長さにほぼ相当する長さを備える、概して方形の形状を有してもよい。第２の受け皿５８は、剃毛剤の容器２２（図２を参照）と同じ寸法であってもよく、又は剃毛剤の容器２２より大きくてもよい。特定の実施形態では、第２の受け皿５８の長さは、約３５ｍｍ、４５ｍｍ、又は５５ｍｍ乃至約６５ｍｍ、７５ｍｍ、又は８５ｍｍであってよい。第２の受け皿５８は、余分な水又はすすぎ溶液がハンドル１４（図示せず）に付くのを防ぐことができる、カートリッジ１６の幅にほぼ相当する高さを更に有してもよい。特定の実施形態では、すすぎ用ボウル５８の高さは、約１０ｍｍ、１２ｍｍ、又は１４ｍｍ乃至約２０ｍｍ、３０ｍｍ、又は４０ｍｍであってよい。
【００１６】
図３Ｂを参照すると、剃毛トレイ１５０の別の可能な実施形態の正面図が示される。剃毛トレイ１５０は、近位端部分１５４と、遠位端部分１５６と、を有し得る。湿式剃毛かみそり収納部分１６０は、近位端部分１５４と遠位端部分１５６との間に配置されてもよい。湿式剃毛かみそり収納部分１６０は、図１及び２に示される、剃毛剤の使い捨て容器２２を受容するように寸法付けられた受け皿１５８を画定してもよい。あるいは、受け皿１５８は剃毛剤で充填されてもよい。湿式剃毛かみそり収納部分１６０は、凹設部分１６２と、ハンドル保持部材１６４と、概して開放された領域１６６と、を有してもよい。凹設部分１６２は、カートリッジ１６（図示せず）を受容するように寸法付けられてもよく、概して開放された領域１６６は、湿式剃毛かみそり１２（図示せず）のハンドル１４（図示せず）を受容するように寸法付けられてもよい。凹設部分１６２は、剃毛後にカートリッジ１６（図示せず）を乾かすのを補助することができる、剃毛トレイ１５０を貫通して延在する排水開口１６８を画定してもよい。ハンドル保持部材１６４は、ハンドル１４を剃毛トレイ１５０に固定させてもよく、凹設部分１６２と概して開放された領域１６６との間に配置されてもよい。剃毛トレイ１５０は、前述され図１に示される剃毛トレイ２０に類似していてもよい。しかしながら、剃毛トレイ１５０の受け皿１５８は、かみそり収納部分１６０内に配置されてもよく、又は概して開放された領域１６６内に配置されてもよい。受け皿１５８が遠位端部分１５６から離れた位置にあることにより、剃毛トレイ１５０の全長を延ばす必要なく、剃毛剤の容器２２が剃毛トレイ１５０によって保持されることができる。
【００１７】
剃毛トレイ１５０、剃毛かみそり１２、及び剃毛剤の容器２２は、キットとして共にパッケージ化されてもよい。剃毛剤の容器２２は、必要に応じて別個に購入され、トレイ１５０の受け皿１５８で取り替えられてもよい。剃毛かみそり１２は使い捨てであってもよく、特定の回数の剃毛後に、トレイ１５０及び剃毛剤２２の容器と共に捨てられてもよい。特定の実施形態では、剃毛かみそり１２及び剃毛剤の容器２２は、剃毛トレイ１５０なしで、キットとしてパッケージ化されてもよい。
【００１８】
図３Ｃを参照すると、剃毛トレイ２００の更に別の可能な実施形態の平面図が示される。剃毛トレイ２００は、前述され図３Ａに示される剃毛トレイ２０に類似していてもよい。剃毛トレイ２００は、近位端部分２０２と、遠位端部分２０４と、を有し得る。湿式剃毛かみそり収納部分２１０は、近位端部分２０２と遠位端部分２０４との間に配置されてもよい。湿式剃毛かみそり収納部分２１０は、剃毛剤の使い捨て容器２２（図示せず）を受容するように寸法付けられた第１の受け皿２０６を画定してもよい。湿式剃毛かみそり収納部分２１０は、水又は他のすすぎ溶液で充填されてもよい、すすぎ用ボウル２０８等の第２の受け皿２０８を更に画定してもよい。湿式剃毛かみそり１２（図示せず）は、第２の受け皿２０８内でカートリッジ１６（図示せず）をすすぐのを補助することができる、振動するカートリッジ１６を有する振動するかみそりであってもよい。湿式剃毛かみそり収納部分２１０は、凹設領域２１２と、ハンドル保持部材２１４と、概して開放された領域２１６と、を有してもよい。凹設領域２１２は、カートリッジ１６（図示せず）を受容するように寸法付けられてもよく、概して開放された領域２１６は、湿式剃毛かみそり１２（図示せず）のハンドル１４（図示せず）を受容するように寸法付けられてもよい。凹設領域２１２は、剃毛後にカートリッジ１６（図示せず）を乾かすのを補助することができる、剃毛トレイ２００を貫通して延在する排水開口２１８を画定してもよい。ハンドル保持部材２１４は、ハンドル１４（図示せず）を剃毛トレイ２００に固定させてもよく、凹設領域２１２と概して開放された領域２１６との間に配置されてもよい。
【００１９】
第２の受け皿２０８は、カートリッジ１６（図示せず）の長さにほぼ相当する長さを備える、概して方形の形状を有してもよい。すすぎ用ボウル２０８は、剃毛剤の容器２２（図２を参照）と同じ寸法であってもよく、又は剃毛剤の容器２２より大きくてもよい。特定の実施形態では、すすぎ用ボウル２０８の長さは、約３５ｍｍ、４５ｍｍ、又は５５ｍｍ乃至約６５ｍｍ、７５ｍｍ、又は８５ｍｍであってよい。第２の受け皿２０８は、余分な水又はすすぎ溶液がハンドル１４（図示せず）に付くのを防ぐことができる、カートリッジ１６の幅にほぼ相当する高さを更に有してもよい。特定の実施形態では、第２の受け皿２０８の高さは、約１０ｍｍ、１２ｍｍ、又は１４ｍｍ乃至約２０ｍｍ、３０ｍｍ、又は４０ｍｍであってよい。剃毛トレイ２００は、前述され図３Ａに示される剃毛トレイ５０に類似していてもよいが、剃毛トレイ２００の受け皿２０６及びすすぎ用ボウル２０８は、かみそり収納部分２１０内に配置されてもよく、又は概して開放された領域２１６内に配置されてもよい。受け皿２０６及びすすぎ用ボウル２０８が遠位端部分２０４から離れた位置にあることにより、剃毛トレイ２００の全長を延ばす必要なく、剃毛剤の容器２２が剃毛トレイ２００によって保持されることができる。
【００２０】
図３Ｄ及び３Ｅを参照すると、剃毛トレイ２５０及び３００が、剃毛剤２２及び／又は第２の受け皿３０８用に、それぞれ剃毛トレイ２５０及び３００の裏面２５２及び３０２に位置する（それぞれ）受け皿２５８及び３０６を有してもよいことを図示するために、剃毛トレイの別の実施形態３Ｄ及び３Ｅが示される。本出願で説明される任意の実施形態は、剃毛剤容器２２用の１つ以上の受け皿、すすぎ溶液用の１つ以上のボウル、又はそれらの任意の組み合わせを含んでもよい。１つ以上の受け皿及び／又はボウルは、剃毛トレイの上面（図１、３Ａ、３Ｂ、及び３Ｃに示されているように）又は裏面（図３Ｄ、３Ｅに示されているように）、剃毛トレイの遠位端部分（図１及び３Ａに示されているように）、剃毛トレイの近位端部分、トレイの剃毛かみそり収納部分内（図３Ｂ及び３Ｃに示されているように）、あるいはそれらの任意の組み合わせに配置されてもよい。受け皿２５８、３０６、及び３０８が剃毛トレイ２５０及び３００の裏面にあることにより、トレイの全長及び側面を縮小させることができ、剃毛システムをよりコンパクト化する。
【００２１】
図４Ａを参照にすると、湿式剃毛かみそり１２と、チューブ等の剃毛剤の可撓性包装体７２と、を含んでもよい剃毛システム７０の別の実施形態が図示される。剃毛剤７４は、前述した剃毛剤の容器２２より高い粘度を有してもよい。帯状の剃毛剤７４が剃毛剤保持ガード１８に塗布されて、剃毛剤保持ガードによって保持されることが可能であるように、剃毛剤７４の粘度（又は剃毛剤の容器２２中の剃毛剤）は、練り歯磨又はゲルとほぼ同等であってもよい。特定の実施形態では、剃毛剤７４は、室温（摂氏約２３度）で、約２，０００、１０，０００、又は２５，０００センチポアズ乃至約５０，０００、７５，０００、又は２５０，０００センチポアズの粘度を有してもよい。他の実施形態では、剃毛剤７４は、室温（摂氏約２３度）で、約１０、５０、又は１００センチポアズ乃至約１５０、２５０、又は５００センチポアズの粘度を有してもよい。
【００２２】
ユーザーは、剃毛剤７４を、剃毛剤の可撓性包装体７２から剃毛剤保持ガード１８上に放出させてもよい。次に、カートリッジ１６は、剃る領域の皮膚に当ててもよい。カートリッジ１６が皮膚の表面に沿って通過する際、１つ以上の刃４２がその領域を剃毛する直前に、剃毛剤保持ガード１８が剃毛剤７４を塗布してもよい。１つ以上の刃（one or blades）４２が皮膚を剃毛すると同時に、剃毛剤７４が皮膚に塗布されてもよい。あるいは、ユーザーは、剃毛剤保持ガード１８のみを、剃る領域の皮膚に当てて最初に通過させてもよい。刃４２が皮膚に接触する前に、剃毛剤保持ガード１８は、剃毛剤を剃る領域全体に塗布してもよい。次に、ユーザーは、カートリッジ１６及び１つ以上の刃（one or blades）４２を皮膚の表面に当てて接触させ、その領域を剃毛し始めてもよい。ユーザーは、必要に応じて、カートリッジ１４を定期的にすすいでもよい。湿式剃毛かみそり１２の剃毛剤保持ガード１８と共に、又は本出願で説明される任意の実施形態と共に、剃毛剤７２の可撓性包装体、又は剃毛剤の容器２２のどちらかが使用されてよい。
【００２３】
図４Ｂ及び４Ｃに示されるように、剃毛システム７０（図４Ａ）は、剃毛かみそりトレイ７５と、剃毛剤７４の１つ以上の小袋７１と、を更に含んでもよい。１つ以上の小袋７１は、図４Ａに示される剃毛剤７２のチューブの代わりに使用されてもよい。剃毛かみそりトレイ７５は、剃毛かみそり１２（図示せず）が使用されていないとき、剃毛かみそり１２（図示せず）を保持又は収納する湿式剃毛かみそり部分を備える上面を有してもよい。小袋７１は、取り外し可能に接合一体化され、剃毛トレイ７５の裏面に取り付けられてもよい。ユーザーは、剃毛するたびに、小袋７１のうちの１つを引きはがすか、又は取り外すことができる。剃毛トレイ７５は、互いに連結され、取り外し可能なカートリッジ７７に取り付けられる１つ以上の小袋７１を有する、取り外し可能なカートリッジ７７を含んでもよい。取り外し可能なカートリッジ７７は、トレイ７５の裏面に取り外し可能に取り付けられることができる。小袋（単数又は複数）７１は、図４Ｃに示されているように、剃毛剤７４を分配するために、上部７３が引きはがされるか、又は切り離されることができる。切り離される上部７３は、狭い帯状の剃毛剤７４をガード部材（図４Ａに示される剃毛剤保持ガード１８等）に塗りつけるように寸法付けられてもよい。あるいは、切り離される上部７３は、１つ以上の刃（one or blades）等のガード以外の構成要素を含むことができるカートリッジ１６（図示せず）の幅を覆うように、より広い帯状の剃毛剤７４を塗りつけるように寸法付けられてもよい。
【００２４】
図５を参照すると、剃毛剤保持ガード１８の斜視図が示される。剃毛剤保持ガード１８は、前壁７８、後壁７６、並びに１対の側壁８０及び８２を有し得る。前壁７８、後壁７６、並びに１対の側壁８０及び８２は、剃毛剤を保持するための細長いスロット８４を画定してもよい。前壁７８及び後壁７６は、約２５ｍｍ、３０ｍｍ、又は３５ｍｍ乃至約４０ｍｍ、４５ｍｍ、又は５０ｍｍの長さを有してもよい。前壁７８から後壁７６までの距離は、約１．５ｍｍ、２ｍｍ、又は２．５ｍｍ乃至約３ｍｍ、３．５ｍｍ、又は４ｍｍであってよい。細長いスロット８４は、幅対長さの比が、約１：５、１：７、又は１：１０乃至約１：１５、１：２０、又は１：２５であってよい。剃毛剤を保持するのを補助するように、前壁７８及び後壁７６の高さはそれぞれ、約１．０ｍｍ、１．５ｍｍ、又は２．０ｍｍ乃至約２．５、３．０、又は３．５ｍｍであってよい。高さが低いと、スロットの深さが浅くなり、十分な剃毛剤を保持できない可能性がある。特定の実施形態において、細長いスロット８４は、前壁７８の高さが後壁７６の高さより大きくなるように、前壁７８から後壁７６に傾斜させてもよく、これにより剃毛剤（単数又は複数）を保持し塗布するのを補助することができる。剃毛剤保持ガード１８は、エラストマー材料から製造されてもよく、又は多孔質材料から製造されてもよい。特定の実施形態において、剃毛剤保持ガード１８は、カートリッジ１６（図示せず）に射出成形されてもよく、又は接着剤若しくはスナップ嵌め設計等の他の組立プロセスで接合されてもよい。
【００２５】
図６を参照すると、剃毛剤を塗布するために使用されてもよい、カートリッジ１００の別の実施形態が示される。カートリッジ１００の前方部分は、１対の主ガード１０２及び１０４と、１対の主ガード１０２と１０４との間に配置される剃毛剤保持ガード１０６と、を含んでもよい。１つ以上の刃１０８は、カートリッジ１００の後方部分におけるキャップ１１０と、カートリッジ１００の前方部分における１対の主ガード１０２及び１０４との間で、カートリッジ１００に取り付けられてもよい。１対の主ガード１０２及び１０４はそれぞれ、１つ以上の刃１０８に平行して延在する複数のフィン１１２及び１１４等の、皮膚引張部材を有してもよい。複数のフィン１１２及び１１４は、根元により近い剃毛を提供するように、剃毛される皮膚の表面を引っ張ることができる。カートリッジ１００は、前述したようなハンドル１４及びカートリッジ１６と類似して、カートリッジ１００をハンドル（図示せず）に取り付けるのを補助することができる相互連結部材１１６に回動自在に接合されてもよい。キャップ１１０に加えて、又はキャップ１１０の代わりに剃毛剤保持ガード１０６が更に使用されてもよく、したがってカートリッジ１００は、複数の剃毛剤保持ガード１０６を更に含んでもよく、又はカートリッジ１００は、カートリッジ１００の後方部分で剃毛剤保持ガード１０６を有してもよい。
【００２６】
図７を参照すると、剃毛剤保持ガード１０６の斜視図が示される。剃毛剤保持ガード１０６は、近位端部分１１８と、遠位端部分１２０と、を有し得る。近位端部分１１８及び遠位端部分１２０はそれぞれ、約２５ｍｍ、３０ｍｍ、又は３５ｍｍ乃至約４０ｍｍ、４５ｍｍ、又は５０ｍｍの長さを有してもよい。近位端部分１１８は、剃毛剤保持ガード１０６の近位端部分１１８の長さに沿って配置される、一連の概して円形のくぼみ１２２を画定してもよい。遠位端部分１２０は、概して遠位端部分１２０の長さに延びる、前壁１２４と、後壁１２６と、複数の中間壁１２８、１３０、及び１３２と、を有してもよい。複数の中間壁１２８、１３０、１３２、及び１３４は、複数の細長いスロット１３６、１３８、１４０、及び１４２を画定してもよい。剃毛剤を保持するのを補助するように、前壁１２４、後壁１２６、並びに複数の中間壁１２８、１３０及び１３２の高さはそれぞれ、約１．０ｍｍ、１．５ｍｍ、又は２．０ｍｍ乃至約２．５、３．０、又は３．５ｍｍであってよい。高さが低いと、スロットの深さが浅くなり、十分な剃毛剤を保持できない可能性がある。
【００２７】
図８Ａ及び８Ｂを参照にすると、概して図７の線８−８に沿って得られる、剃毛剤保持ガード１０６の横断面図が示される。剃毛剤保持ガード１０６は、第１の圧縮された位置（図８Ｂ）と、第２の、即ち圧縮されていない位置（図８）と、を有してもよい。カートリッジ１００が剃毛剤の容器に挿入される際に（図２に示されているように）、又は剃毛剤がチューブ７２又は小袋７１から塗布される際に（図４Ａ及び４Ｃに示されているように）、剃毛剤保持ガード１０６は中立の位置にあり得る。カートリッジ１００が、剃毛中に皮膚の表面に圧接されるとき、剃毛剤保持ガード１０６は圧縮された位置にあり得る。
【００２８】
剃毛剤保持ガード１０６の遠位端部分１２０は、概して円形の本体を有してもよく、そこから中間壁１２８、１３０、１３２、及び１３４が延びる。４つの中間壁１２８、１３０、１３２、及び１３４が示されているが、それより多い又は少ない中間壁が使用されてもよい。剃毛剤保持ガード１０６が中立の位置にあるとき、隣接する中間壁１２８、１３０、１３２、及び１３４の間の距離は、約０．２ｍｍ、０．３ｍｍ、又は０．５５ｍｍ乃至約０．７ｍｍ、０．９ｍｍ、又は１．０ｍｍであってよい。中立の位置は、剃毛剤保持ガード１０６がより多くの剃毛剤を受け取ることを可能にする。剃毛剤は、概して円形のくぼみ１２２、並びに複数の細長いスロット１３６、１３８、１４０、及び１４２内に捕えられてもよい。後壁１２６及び中間壁１３６によって画定され、剃毛剤を捕えるスロット１４４が更にあってもよい。隣接する中間壁１２８、１３０、１３２、及び１３４の間の距離はまた、スロット幅と呼ばれる場合がある。剃毛剤保持ガード１０６のスロット幅は、より多くの剃毛剤を閉じ込める、又は保持するために、１対の主ガード１１２及び１１４（図６）のスロット幅より大きくてもよい。特定の実施形態において、剃毛剤保持ガード１０６の間隙幅は、１対の主ガード１１２及び１１４（図６）のスロット幅の約１．５、２、又は３倍乃至約４、５、又は６倍ほど大きくてもよい。
【００２９】
近位端部分１１８の概して円形のくぼみ１２２は、後壁１２６に直接隣接してもよい。円形のくぼみ１２２も、中立の位置（図８Ａ）と、圧縮された位置（図８Ｂ）と、を有してもよい。中立の位置では、概して円形のくぼみ１２２は、約０．１５ｍｍ、０．３ｍｍ、又は０．５５ｍｍ乃至約０．７ｍｍ、０．９ｍｍ、又は１．０ｍｍの半径を有してよい。圧縮された位置では、概して円形のくぼみ１２２は、約２５％、３０％、又は４０％乃至約５０％、７５％、又は１００％圧縮されてよい。剃毛剤保持ガード１０６は、エラストマー材料から製造されてもよく、又は圧縮及び剃毛剤の放出を容易にする、多孔質材料から製造されてもよい。剃毛剤保持ガード１０６は、約１０、２０、又は３０乃至約６０、７０、又は８０のショアＡ硬さを有し得る。特定の実施形態において、剃毛剤保持ガード１０６は、カートリッジ１００（図６）に射出成形されてもよく、又は接着剤若しくはスナップ嵌め設計等の他の組立プロセスで接合されてもよい。
【００３０】
円形のくぼみ１２２、並びに複数のスロット１３６、１３８、１４０、及び１４２は、カートリッジ１００（図示せず）が剃毛剤の容器２２に挿入される際に（図２に示されているように）、あるいは剃毛剤がチューブ７２又は小袋７１から塗布される際に（図４Ａ及び４Ｃに示されているように）、剃毛剤の保持を容易にすることができる。くぼみ１２２並びに中間壁１２８、１３０、１３２及び１３４は、カートリッジ１００（図示せず）が剃毛される皮膚の表面に当てられる際に、剃毛剤の放出を抑制することができる。皮膚の表面に圧接される剃毛剤保持ガード１０６の力が、中間壁１２８、１３０、１３２、及び１３４を接近させて圧縮し、剃毛剤を放出させることができる。特定の実施形態では、中間壁１２８、１３０、１３２、及び１３４は、互いに接触して、剃毛剤を細長いスロット１３６、１３８、１４０、１４２、及び１４４から皮膚の表面に押し進めるように、圧縮させることができる。概して円形のくぼみ１２２もまた、剃毛中に剃毛剤を放出させるように圧縮させることができる。
【００３１】
所望する場合、特定の実施形態が、任意選択で別個に、又は共に実施されてもよい。例えば、剃毛の方法は、上述した剃毛剤保持ガードを備える任意のカートリッジを使用してもよく、あるいは剃毛システムは、前述した剃毛剤保持ガードを備える任意のカートリッジが含まれてもよい。
【００３２】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００３３】
相互参照される又は関連するあらゆる特許又は出願を含め、本明細書において引用される全ての文献は、明示的に除外ないしは制限されない限り、参照によりその全体が本明細書に組み込まれる。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【００３４】
本発明の特定の実施形態について説明し記載したが、本発明の趣旨及び範囲から逸脱することなく他の様々な変更及び修正が可能であることが当業者には自明である。したがって、本発明の範囲内にあるそのようなすべての変更及び修正を、添付の「特許請求の範囲」で扱うものとする。
【図１】
0005587330.tif 000002
【図２】
0005587330.tif 000003
【図３Ａ】
0005587330.tif 000004
【図３Ｂ】
0005587330.tif 000005
【図３Ｃ】
0005587330.tif 000006
【図３Ｄ】
0005587330.tif 000007
【図３Ｅ】
0005587330.tif 000008
【図４Ａ】
0005587330.tif 000009
【図４Ｂ】
0005587330.tif 000010
【図４Ｃ】
0005587330.tif 000011
【図５】
0005587330.tif 000012
【図６】
0005587330.tif 000013
【図７】
0005587330.tif 000014
【図８Ａ】
0005587330.tif 000015
【図８Ｂ】
0005587330.tif 000016